(57)【特許請求の範囲】
【請求項１】
対面して着座した施術者と被施術者との間の卓上に固定配置されるネイルケア用照明装置であって、卓上固定部から延びる可撓性を有する棒状体の中間部分及び先端部分にそれぞれ第１及び第２非可撓部をそれぞれ与え、前記第１及び第２非可撓部は、前記棒状体の軸線に沿ってＬＥＤ光源を複数配置されて棒状の光源をそれぞれ構成し、前記第１及び第２非可撓部のそれぞれからの光軸を交差させ照明される対象物の影を消し得るようにしたことを特徴とするネイルケア用照明装置。
【請求項２】
前記卓上固定部から前記中間部分の前記棒状体は前記中間部分から前記先端部分の棒状体よりも剛性が高いことを特徴とする請求項１記載のネイルケア用照明装置。
【請求項３】
前記ＬＥＤ光源は波長を変化させ得ることを特徴とする請求項１又は２に記載のネイルケア用照明装置。
【請求項４】
前記卓上固定部は被固定部を挟持可能なクリップであることを特徴とする請求項１乃至３のうちの１つに記載のネイルケア用照明装置。
【発明の詳細な説明】
【技術分野】
【０００１】
本発明は、対面して着座した施術者と被施術者との間の卓上に固定配置されるネイルケア用の卓上照明装置に関し、特に、ＬＥＤ光源を利用したネイルケア用卓上照明装置に関する。
【背景技術】
【０００２】
人の手や足の爪に各種の装飾を施すネイルアートなど、爪の様々な手入れを行うネイルケアが知られている。かかるネイルケアでは、施術者と被施術者とがテーブルを挟んで対面して着座しその卓上で各種施術が施される。この施術のための照明装置として、多くの場合、直管で長手の蛍光灯が用いられてきた。すなわち、ネイルケアでは細かい作業を行うために一定以上の明るさが必要となること、テーブルの左右に広範囲に光を照射して被施術者の左右の手を同時に照明できる必要があることなどが主な理由である。その一方で、明るさを得るために蛍光灯の寸法を大きくしてしまうと、施術者と被施術者の間の視界が遮られて不快感を与え、また蛍光灯から照射される紫外線によって施術中に紫外線硬化型のジェルが硬化してしまうということもあった。
【０００３】
そこで、近年、かかるネイルケア用卓上照明装置にもＬＥＤが光源として用いられている。ＬＥＤを用いることで、対面する施術者と被施術者との間で使用しても、素子が小さく光源を小さくできることから施術者と被施術者の間の視界を遮らず、発熱も少なく快適である。また、指向性の高い光源であることから明るさを確保しつつ、蛍光灯よりも紫外線量をより少なくすることができてジェルの硬化を抑制できるのである。
【０００４】
ところで、ＬＥＤによって照射される作業領域をより明るくしようとすると、作業対象である被施術者の手に影が生じやすくなる。このような影を消すためには、いわゆる無影灯のように、複数の光源を用いるなど、対象物に対して複数箇所から光を照射することが検討される。
【０００５】
例えば、特許文献１では、ＬＥＤ光源を備えるベース部に先端を湾曲させた略棒状の導光体を取り付けた照明装置を開示している。導光体の内部に複数配置された拡散反射部により、湾曲の内側に向けて複数箇所から光を照射させ、照明対象物の影を抑えるとこができるとしている。
【０００６】
また、特許文献２では、無影照明を行うための携帯可能な照明装置を開示している。かかる照明装置では、基端部に固定用クリップを設けた複数の屈曲可能な支持アームの先端にＬＥＤによる面発光パネルを設け、それぞれを電源装置に接続させている。テーブル端部の複数箇所にそれぞれの支持アームを取り付け各照明装置の配置を調整することで無影照明が可能としている。
【０００７】
また、特許文献３では、可撓性を有するフレキシブルチューブの伸張方向に沿って複数のＬＥＤによる発光装置を配置したディスプレイ用の照明装置を開示している。フレキシブルチューブにより棚等の多種の形状に沿って配置でき、照明装置の使い勝手を向上させ得るとしている。このような照明装置でも複数箇所から光を照射させるので照明する対象物の影を抑制し得る。
【先行技術文献】
【特許文献】
【０００８】
【特許文献１】特開２０１３−０９３２１３号公報
【特許文献２】特開２０１２−１６４６１２号公報
【特許文献３】特開２０１４−０４１７５２号公報
【発明の開示】
【発明が解決しようとする課題】
【０００９】
蛍光灯は光が拡散されるため影が出づらく、また、直管で長手の蛍光灯では該長手方向の光量差はあまり大きくないから、２本の蛍光灯を平行に並べて広い範囲で光量を得られる。一方、上記したようなＬＥＤ光源を用いた照明装置では、光源の光の直進性が強く、複数方向からの光量バランスが崩れると対象物の影が消えない。かかるバランスを調整することは光源が多くなるほど困難である。
【００１０】
本発明は、以上のような状況に鑑みてなされたものであって、その目的とするところは、ＬＥＤ光源を用いても、比較的簡単に影を消すように調整できて、ネイルケアの施術の妨げにならないネイルケア用照明装置の提供にある。
【課題を解決するための手段】
【００１１】
本発明によるネイルケア用照明装置は、対面して着座した施術者と被施術者との間の卓上に固定配置されるネイルケア用照明装置であって、卓上固定部から延びる可撓性を有する棒状体の中間部分及び先端部分に非可撓部をそれぞれ与え、前記非可撓部には前記棒状体の軸線に沿ってＬＥＤ光源を複数配置したことを特徴とする。
【００１２】
かかる発明によれば、ＬＥＤ光源を並べられた２つの非可撓部の位置及び向きにより施術を行う作業領域において影を消すよう光量のバランスを比較的簡単に調整できる。また、棒状体とすることで、対面した施術者と被施術者との間の狭い空間に配置しても視界を遮らない。つまり、ネイルケアの施術の妨げにならないのである。
【００１３】
上記した発明において、前記卓上固定部から前記中間部分の前記棒状体は前記中間部分から前記先端部分の棒状体よりも剛性が高いことを特徴とする。かかる発明によれば、中間部分の位置調整の後、中間部分を移動させずに先端分の位置調整ができて、作業領域において影を消すよう光量のバランスをより簡単に調整できる。
【００１４】
上記した発明において、前記ＬＥＤ光源は波長を変化させ得ることを特徴としてもよい。かかる発明によれば、作業領域において影を消すよう周囲の環境に合わせて光源からの光の波長を調整し得るとともに、ネイルケアの施術後に紫外線を照射させればジェルを硬化させるＵＶライトとしても使用し得る。
【００１５】
上記した発明において、前記卓上固定部は被固定部を挟持可能なクリップであることを特徴としてもよい。かかる発明によれば、比較的簡単に様々な部位にネイルケア用照明装置を固定できて、上記した光量のバランスの調整を容易とするとともに、より施術の妨げとならないように固定する位置を調整することも容易となる。
【図面の簡単な説明】
【００１６】
【図１】本発明による照明装置の側面図である。
【図２】本発明による照明装置の要部の側面図である。
【図３】本発明による照明装置の要部の斜視図である。
【発明を実施するための形態】
【００１７】
以下に、本発明によるネイルケア用照明装置の１つの実施例について、図１乃至図３を用いて説明する。
【００１８】
図１に示すように、照明装置１０は、作業台となるテーブル９の端部などに照明装置１０を固定するためのクリップ１と、クリップ１に一端を固定された第１の支持管体２と、その他端に一端を固定された丸棒状の第１のライト３と、その他端に一端を固定された第２の支持管体４と、さらにその他端に一端を固定された丸棒状の第２のライト５と、クリップ１から延びる電源コード６を含む。
【００１９】
第１の支持管体２及び第２の支持管体４は、可撓性を有するいわゆるフレキシブルチューブであり、例えば、金属製の蛇腹体に樹脂製の被覆を施した丸管状体である。すなわち、第１の支持管体２及び第２の支持管体４は、第１のライト３及び第２のライト５をそれぞれ支持しつつ、位置と角度を調整できるように曲げ伸ばし自在であり、曲げ伸ばしした状態を保持できるだけの剛性、すなわち曲げ伸ばしさせるときの抵抗力を有している。さらに、第１の支持管体２の剛性は、第２の支持管体４の剛性より高くされている。
【００２０】
このように、第１の支持管体２、第１のライト３、第２の支持管体４及び第２のライト５は、可撓性を有する一連の棒状体を構成し、その中間部分である第１のライト３及び先端部分である第２のライト５をそれぞれ非可撓部としている。なお、第１の支持管体２及び第２の支持管体４は、第１のライト３及び第２のライト５に電源を供給するための電源コード６をその内部に挿通させている。
【００２１】
図２に示すように、第１のライト３（又は第２のライト５）は、透光性を有する樹脂からなる略丸棒形状のライト本体３１（５１）とこれを軸方向の両端から挟む端部材３４（５４）を含む。ライト本体３１（５１）の内部には、複数のＬＥＤ素子３５（５５）が中心軸に沿って配置され、ライト本体３１（５１）の外周のうち投射部３２（５２）から光を投射できる。投射部３２（５２）とは軸を挟んで反対側のライト本体３１（５１）の内部には光を反射する反射シールが貼り付けられて反射部３３（５３）となっている。つまり、図３においては主として紙面下側に向けて光を照射できる。ＬＥＤ素子３５（５５）の指向性の高い光と反射シールによりネイルケア用の照明装置として十分な光量を確保できる。また、ＬＥＤ素子３５（５５）を軸に沿って並べたことにより光の照射範囲を軸方向に広くできる。
【００２２】
ＬＥＤ素子３５（５５）は、複数の周波数の光を投射できるよう、例えば光の三原色をそれぞれ投射できる素子を組み合わせ、さらに紫外線ＬＥＤ素子を組み合わせたものであることが好ましい。これにより、投射させる光の波長を調整できて、紫外光も投射できる。
【００２３】
ここで、図１を再び参照すると、第１のライト３の投射部３２と、第２のライト５の投射部５２とは、第２の支持管体４を直線状に伸ばしたときに同一方向を向くようにされている。すなわち、図１に示すように、第２の支持管体４を第１のライト３の投射部３２の方向に曲げたときに、第２のライト５の投射部５２による光軸は、第１のライト３の投射部３２による光軸と交差する。
【００２４】
図３に示すように、クリップ１は互いにシーソー動できるように軸１４によって接続された一対のクリップ本体１１を含む。クリップ本体１１は、テーブル９等の照明装置１０を固定する被固定部位を挟持するための一方の端部からなる一対の挟持部１２と、挟持部１２を互いに離間させるための他方の端部からなる一対の把持部１３とを有する。また、クリップ本体１１の間には、挟持部１２を互いに近接させる方向に付勢する図示しないバネが備えられる。
【００２５】
一方のクリップ本体１１の背面には、第１の支持管体２が固定端部１５によって固定される。第１の支持管体２の内部に配置された電源コード６は、かかる一方のクリップ本体１１を貫通して他方のクリップ本体１１との間を把持部１３側に向けて導出されている。なお、固定端部１５は、第１の支持管体２の軸周りにクリップ１を回転可能に接続していることが好ましい。
【００２６】
次に、照明装置１０の使用方法について図１を用いて説明する。
【００２７】
図１に示すように、照明装置１０は、まず、テーブル９の端部などの固定部位にクリップ１によって固定される。また、電源コード６に接続される図示しないプラグを付近のソケットに差し込み電源を確保する。
【００２８】
さらに、第１のライト３は第１の支持管体２の曲げ伸ばし等により移動されて、テーブル９上の作業領域に光が投射されるようにその位置と向きを調整される。特に、ネイルケアの施術においては、右手と左手に施術を行うため、作業領域の左右の移動を容易とすることが好ましい。クリップ１を作業領域の左右のうち一方の側に配置させると、第１の支持管体２の曲げ伸ばしだけで第１のライト３の光軸を左右に移動でき、好適である。なお、このとき、施術者及び被施術者はそれぞれ紙面の手前及び奥に位置し、テーブル９を挟んで対面している。
【００２９】
次に、第２の支持管体４の曲げ伸ばしにより第２のライト５の位置と向きとを調整し、作業領域において照明される対象物に影を生じさせないようにする。すなわち、第１のライト３による光軸と第２のライト５による光軸を作業流域の近傍で交差するように向きを調整するとともに、両者から作業領域までの距離を等しくして光量のバランスを調整するのである。ここで、第１のライト３及び第２のライト５はそれぞれ軸方向に長い棒状の光源となるので、左右方向に作業領域を広く設定できるとともに、対象物である被施術者の手に影を生じさせないように光軸を左右方向に調整することが容易になる。また、上記したように、第１のライト３の投射部３２と、第２のライト５の投射部５２とは、第２の支持管体４を直線状に伸ばしたときに同一方向を向くようにされているので、第２の支持管体４を第１のライト３による光軸を含む面内にて曲げ伸ばしすると調整を容易に行うことができる。これにより、ネイルケアの施術における細かい作業を正確に行うにあたり、作業領域を好適に照明することができる。
【００３０】
ここで、上記したように、第１の支持管体２の剛性は、第２の支持管体４の剛性より高くされている。これにより、第１の支持管体２の曲げ伸ばしにより第１のライト３の位置及び向きを調整した後に、第２の支持管体４の曲げ伸ばしを行っても第１の支持管体２は曲げ伸ばしされない。つまり、第１のライト３の位置及び向きを変えずに第２のライト５の位置及び向きを変えることができ、調整をより容易に行い得る。
【００３１】
また、ＬＥＤ素子３５の照射する光の波長を調整し、周囲の環境に合わせて光源からの光の波長を調整したり、被施術者の爪に施す装飾を見やすいよう光の波長を調整したりし得る。また、必要に応じて紫外線を照射させることで、施術中や施術後に紫外線硬化型のジェルを硬化させることも可能である。
【００３２】
なお、照明装置１０は蛍光灯を光源として用いることには適さない。蛍光灯は紫外光を多く含み、意図しないジェルの硬化を促進させてしまう。また、直管の蛍光灯は、その軸方向に均一な拡散光を照射できるので、照明する対象物に対して、単体で軸方向の影を抑制することに適している。つまり、上記した照明装置１０と同様に直管の蛍光灯の２本を軸方向に接続したとしても、影を消す効果はこれ以上得られない。他方、２本の直管の蛍光灯を平行に並べることで、軸方向と直交する方向の影を消す効果を得ることはできる。
【００３３】
これに対して、ＬＥＤ素子３５を用いた本実施例による照明装置１０においては、第１のライト３の単体では、複数の光源を棒体の軸に沿って並べていても、光量の高い、且つ、指向性の高い光によって影を生じやすい。そこで、第２のライト５から照射させる光によって照明する対象物の影を消すのである。
【００３４】
さらに、照明装置１０において、第１の支持管体２から第２のライト５までは一連の棒状体となっている。また、第１のライト３及び第２のライト５は、光源をＬＥＤ素子３５及び５５としているので、棒状体を細く構成し得る。かかる棒状体は、一端を施術者の被施術者との間の空間の左右のうち一方に固定され、上方に延びて、さらに左右のうち他方に向けて延びている。つまり、施術者と被施術者との間の狭い空間に配置されても、棒状体の延びる方向と交差する方向である施術者側及び被施術者側の空間を広く取ることができる。これにより、互いに手の届く距離で対面する施術者及び被施術者に広い空間を与え得る。つまり、棒状体による照明装置１０は施術の妨げとならない。さらに、棒状体が細いので、施術者及び被施術者の視界を遮らず施術の妨げにならないだけでなく、快適である。
【００３５】
なお、クリップ１によって、より施術の妨げとならないように、テーブル９だけでなく作業領域とすべき位置の周辺の様々な部位に照明装置１０を固定することもできる。
【００３６】
施術後においては、施術者は、一連の棒状体を片手で上方に押し上げることができる。つまり、第１の支持管体２及び第２の支持管体４を伸ばすのである。これにより、照明装置１０を他の作業等の妨げとならないよう簡易に開放することができる。
【００３７】
なお、固定端部１５において、クリップ１を第１の支持管体２の軸周りに回転可能とした場合には、上記した作業領域を図１のようにテーブル９の上に配置させることはもちろん、例えば、クリップ１に対して棒状体を回転させてテーブル９の外側に作業領域を配置させることもできる。また、上記したように様々な部位に照明装置１０を固定したときに、固定端部１５を回転可能としていれば、第１のライト３の投射部３２と、第２のライト５の投射部５２とを意図した方向に向けることが容易になる。
【００３８】
以上、本発明による実施例及びこれに基づく変形例を説明したが、本発明は必ずしもこれに限定されるものではなく、当業者であれば、本発明の主旨又は添付した特許請求の範囲を逸脱することなく、様々な代替実施例及び改変例を見出すことができるであろう。
【符号の説明】
【００３９】
１    クリップ
２    第１の支持管体
３    第１のライト
４    第２の支持管体
５    第２のライト
１０  照明装置
【図１】
0006592242.tif 000002
【図２】
0006592242.tif 000003
【図３】
0006592242.tif 000004